(57)【要約】      （修正有）【課題】発電コストを削減したシーソー式の小水力発電装置を提供する。【解決手段】シーソーフレーム４の一端に、カップ２０が回転し発電する装置を内蔵する横長水槽２を、他端に、上部に調整用ウェート６を、下部に鎖９を付けたウェート台７を取り付ける。横長水槽２の側面に、小タンク３を有する縦長水槽１を設置し、ホース１３を接続する。自動ホイストクレーン２５を、ウェート台７上方に設置し、軸３７とワイヤー３６を結ぶ。縦長水槽１上部とペダル２９の上部に固定した滑車２４を用いて、ペダル２９と小タンク３をワイヤー２３で結ぶ。【選択図】図１
0003161773.tif 000002
【実用新案登録請求の範囲】
【請求項１】
シーソー片側端に、発電モーターの回転軸を長くし、先端部四方に棒をだし先端に半円形のカップを取り付け液体の流れでカップが回転し発電する小水力発電装置を内部に固定した横長水槽を取り付け、シーソー側面横には、横長水槽より約二倍大きい小タンクが中に入った縦長水槽を置いて横長水槽の下部と縦長水槽の下部をホースで繋ぎ、横長水槽反対端には、液体が入っていない状態での横長水槽の重さと等しい重をウェート台として取り付け、ウェート台の下に鎖を取り付け、鎖の真下に鎖の重なり部分を解消する為のスプリング台を設置した、横長水槽の重さと流動する液体とのバランスを鎖で調整し、上下の動きを軽くし、液体の流動がスムーズに動くことでカップが回転し発電する第一の小水力発電装置。
【請求項２】
前記シーソーを動かすため、ウェート台、鎖側に下がる程度の調整用ウェートを付け、横長水槽が上がった状態にし。ウェート台、鎖側上部に、上げ下げにリミッタースイッチと上がり下がりが自動変換する装置のついた電力で動くホイストクレーンを固定し、ホイストクレーンのフックが下がった状態で、ウェート台側をワイヤーで結び縦長水槽側に液体を小タンクの上部が見えるまで入れ、ホイストクレーンに電力を繋ぐと作動しシーソーが上下動し、液体の流動も、スムーズに動き、液体と鎖との重さもバランスよく取り合っているので軽い力で液体が流動し、小さなエネルギーで動くホイストクレーンで上下動させることによって、請求項１に記載のカップが回転し発電する第一の小水力発電装置である
【請求項３】
前記１、２、記載の縦長水槽の中に入っている小タンクには、液体と上部に空気があり、小タンクが液体の流動によって下がるときの重さを利用、発電出来るようにするため、縦長水槽横側に自転車と同じような仕組みを持つ回転装置を置き、回転装置には、車輪のかわりにフライホイールを使用し、フライホイールに発電装置を付けペダルを引くと、チェーンによる伝動によってフライホイールが回転し発電する装置とし、ペダルと小タンクを結ぶため縦長水槽とペダルの上部に滑車を平列に固定しワイヤーで、二箇所の滑車にとうし、小タンクとペダルとを結び液体の流動で、小タンクが下がる時の重さでペダルが引かれチェーンによる伝動でフライホイールが回転し発電する、第二の小水力発電装置
【考案の詳細な説明】
【技術分野】
【０００１】  本考案は、シーソーがバランスよく上下動する方法を利用して液体を流動させることにより省力な電力で倍増した電力を生み出すシーソー式小水力発電装置に関する。
【背景技術】
【０００２】  従来の水力発電は、ダム、川での発電が主で環境にやさしい発電ですが、悪天候などにより大きなリスクを負ってしまうことがある。
【考案が解決しようとする課題】
【０００３】  従来の技術とは異なった方法で考案した小水力発電装置で環境にやさしく、悪天候の問題もなく、この装置を置く場所、電力の繋がる場所があればどこにでも設置することが可能な装置である。
【課題を解決するための手段】
【０００４】  リスクを伴うエネルギーを最小限少なくし、シーソーの上下動に均一な動きを利用、液体の流れを最大限活用することによって倍増発電することが可能で、いままでにない特徴を持った上下動によって発電するシーソー式小水力発電である。
【考案の効果】
【０００５】  悪天候の問題もなく、設置場所は平坦な場所、電力を送れる場所であれば発電が可能であり、発電コストを最小限抑えられたシーソー式小水力発電装置。
【図面の簡単な説明】
【０００６】
【図１】本考案のシーソー式小水力発電装置のホイストクレーン、滑車のフレームを除いた正面図である。
【図２】本考案の図１のシーソー式小水力発電装置のホイストクレーンを一部付けた中央部からの右側面図である。
【図３】本考案の図１の（１９）の斜視図である。
【図４】本考案の図１の（２０）の斜視図である。
【符号の説明】１  縦長水槽
２  横長水槽
３  小タンク
４  シーソーフレーム
５  シーソーホース支えフレーム
６  調整用ウェート
７  ウェート台
８  調整用ウェート
９  鎖
１０  スプリング
１１  シーソーフレーム架台
１２  ホース支えシーソーフレーム架台
１３  ホース
１４  小タンク受台
１５  縦長水槽架台
１６  シーソーフレーム受け台
１７  発電機
１８  ガイドローラー
１９  ホース支えシーソー案内フレーム
２０  カップ
２１  ピロブロック
２２  ピロブロック
２３  ワイヤー
２４  滑車
２５  自動ホイストクレーン
２６  自在トロリー
２７  電源ボックス
２８  Ｈ鋼
２９  ペダル
３０  スポロケット
３１  チェーン
３２  フライホイール
３３  スポロケット
３４  発電モーター
３５  発電モーター架台
３６  ワイヤー
３７  軸
３８  鎖支え板
３９  ホース支え板
４０  ホースバンド
４１  管
４２  ボトムブラケット・クランク軸
４３  調整用ウェート
４４  クランク
【考案を実施するための形態】
【０００７】  シーソー端に横長水槽を取付け、反対側端にウェート台、鎖を付け、縦長水槽と横長水槽をホースで繋ぎ小さな物で作り実験に成功したので大きなものに作り変えて実験し、シーソーの上下動は思ったより軽く動き、小タンクも縦長水槽の液体が横長水槽に流動すると自然に下がり両方の仕事率などを計算し、上下動の動きより小タンクの動きの方が約２倍多くあったので小タンクでの最終的な交換効率やホイストクレーンが吊り下げる時の電力の使用を無くし自然に降りるようにして電力費をゼロに出来ないか、液体の蒸発などの問題その他色々考え試しています。
【実施例】
【０００８】  発電能力を発揮するために個々の機能をどのように工夫したら発電能力を高めることができるのかを試しています。
【考案の効果】
【０００９】  本考案が完成し、市場に出たときには、この装置を縦や横に並べ容量の大きい物にすることも可能な装置であり、太陽光発電や風力発電よりも安定した発電が可能で、また新しい発電の産業となるシーソー式小水力発電装置だと思います。
【図１】
0003161773.tif 000003
【図２】
0003161773.tif 000004
【図３】
0003161773.tif 000005
【図４】
0003161773.tif 000006
【手続補正書】
【提出日】平成22年5月24日(2010.5.24)
【手続補正１】
【補正対象書類名】実用新案登録請求の範囲
【補正対象項目名】全文
【補正方法】変更
【補正の内容】
【実用新案登録請求の範囲】
【請求項１】
シーソー片側端に、発電モーターの回転軸を長くし、先端部四方に棒をだし先端に半円形のカップを取り付け液体の流れでカップが回転し発電する小水力発電装置を内部に固定した横長水槽を取り付け、シーソー側面横には、横長水槽より約二倍大きい小タンクが中に入った縦長水槽を置いて横長水槽の下部と縦長水槽の下部をホースで繋ぎ、横長水槽反対端には、液体が入っていない状態での横長水槽の重さと等しい重をウェート台として取り付け、ウェート台の下に鎖を取り付け、鎖の真下に鎖の重なり部分を解消する為のスプリング台を設置した、横長水槽の重さと流動する液体とのバランスを鎖で調整し、上下の動きを軽くし、液体の流動がスムーズに動くことでカップが回転し発電する第一の小水力発電装置。
【請求項２】
前記シーソーを動かすため、ウェート台、鎖側に下がる程度の調整用ウェートを付け、横長水槽が上がった状態にし、ウェート台、鎖側上部に、上げ下げにリミッタースイッチと上がり下がりが自動変換する装置のついた電力で動くホイストクレーンを固定し、ホイストクレーンのフックが下がった状態で、ウェート台側をワイヤーで結び縦長水槽側に液体を小タンクの上部が見えるまで入れ、ホイストクレーンに電力を繋ぐと作動しシーソーが上下動し、液体の流動も、スムーズに動き、液体と鎖との重さもバランスよく取り合っているので軽い力で液体が流動し、小さなエネルギーで動くホイストクレーンで上下動させることを特徴とする、請求項１に記載のカップが回転し発電する第一の小水力発電装置。
【請求項３】
請求項１または２に記載の縦長水槽の中に入っている小タンクには、液体と上部に空気があり、小タンクが液体の流動によって下がるときの重さを利用、発電出来るようにするため、縦長水槽横側に自転車と同じような仕組みを持つ回転装置を置き、回転装置には、車輪のかわりにフライホイールを使用し、フライホイールに発電装置を付けペダルを引くと、チェーンによる伝動によってフライホイールが回転し発電する装置とし、ペダルと小タンクを結ぶため縦長水槽とペダルの上部に滑車を平列に固定しワイヤーで、二箇所の滑車にとうし、小タンクとペダルとを結び液体の流動で、小タンクが下がる時の重さでペダルが引かれチェーンによる伝動でフライホイールが回転し発電する第二の小水力発電装置と、請求項１または２に記載のカップが回転し発電する第一の小水力発電装置と、有する小水力発電装置。